(57)【要約】【課題】  機械式スイッチの負荷トルク低減と小型化を図ることによって、電力消費量の低減とスイッチレイアウトの最適化を図った暦表示機能付時計を提供する。【解決手段】  月検出用の機械式スイッチを、月検出車８０の支持軸８１に設けたばね接点９８と、月検出車８０の軸８１を中心とする同一円周上に設けた、電源端子９８Ｔ１、２月検出用の第１検出端子９８Ｔ２および小の月検出用の第２検出端子９８Ｔ３とによって構成し、表示される月が２月の場合に、ばね接点９８が電源端子９８Ｔ１と第１検出用端子９８Ｔ２とに接触し、表示される月が小の月の場合に、ばね接点９８が電源端子９８Ｔ１と第２検出端子９８Ｔ３とに接触するようにした。【選択図】      図６
2005265633.tif 000002
【特許請求の範囲】
【請求項１】
暦を表示する暦表示車或いは暦表示車と連動して回転する歯車の回転位置を機械式スイッチで検出して暦検出を行う暦表示機能付電子時計において、
前記機械式スイッチは、
前記歯車と一体的に回転するばね接点と、
前記歯車の軸を中心とする同一円周上に配置され、前記歯車の回転位置に応じて前記ばね接点と接触する、電源端子を含む複数のスイッチ端子とから構成されることを特徴とする暦表示機能付電子時計。
【請求項２】
前記複数のスイッチ端子は、電源端子と、導通検出用の検出端子とであり、
前記ばね接点は、前記歯車の回転位置に応じて前記電源端子と前記検出端子とにそれぞれ接触して、これら端子間を導通させる複数の足部を有することを特徴とする請求項１に記載の暦表示機能付電子時計。
【請求項３】
前記歯車は、月表示車或いは月検出用の歯車であり、
前記複数のスイッチ端子は、電源端子と、２月検出用の第１検出端子と、小の月検出用の第２検出端子とであり、
前記複数のスイッチ端子と前記ばね接点の複数の足部とは、２月の場合に前記電源端子と前記第２検出端子とが前記足部にそれぞれ接触し、小の月の場合に前記電源端子と前記第２検出端子とが前記足部にそれぞれ接触するように配置されていることを特徴とする請求項２に記載の暦表示機能付電子時計。
【請求項４】
前記複数のスイッチ端子と前記ばね接点の複数の足部とは、２月および小の月以外では接触しないように配置されていることを特徴とする請求項３に記載の暦表示機能付電子時計。
【請求項５】
前記ばね接点の足部の先端は、同一円周上に配置されていることを特徴とする請求項２乃至４のいずれかに記載の暦表示機能付電子時計。
【請求項６】
前記ばね接点は、前記足部を３つ備える３本足構成とされていることを特徴とする請求項２乃至５のいずれかに記載の暦表示機能付電子時計。
【請求項７】
前記ばね接点は左右対称形状に形成されることを特徴とする請求項１乃至６のいずれかに記載の暦表示機能付電子時計。
【請求項８】
前記機械式スイッチが設けられる歯車は、前記暦表示車を回転させる暦表示機構の減速輪列にある歯車であることを特徴とする請求項１乃至７のいずれかに記載の暦表示機能付電子時計。
【請求項９】
前記暦表示車は、日車と月車を含み、
前記日車の回転位置を非接触で検出する非接触検出手段を設け、
前記月車の回転位置の検出を前記機械式スイッチで行うことを特徴とする請求項１乃至８のいずれかに記載の暦表示機能付電子時計。
【請求項１０】
前記暦表示車は、日車と月車と年車を含み、
前記日車の回転位置を非接触で検出する非接触検出手段を設け、
前記月車及び前記年車の回転位置の検出を前記機械式スイッチで行うことを特徴とする請求項１乃至８のいずれかに記載の暦表示機能付電子時計。
【発明の詳細な説明】
【技術分野】
【０００１】
本発明は、月末補正を自動的に行う暦表示機能付電子時計に関する。
【背景技術】
【０００２】
従来より、日、月等の暦（カレンダ）を表示する暦表示機構を備えた電子時計（暦表示機能付電子時計）が知られている（例えば、特許文献１、２）。この時計の暦表示機構としては、例えば、「１」〜「１２」の数字が配置された月板（月表示車）や、「１」〜「３１」の数字が配置された日板（日表示車）を備え、これら月板や日板を回転駆動することにより月や日の表示を行う。
また、この種の暦表示機能付電子時計には、単に一日分送るだけでは、実際には存在しない非存在日（２月３０日や４月３１日等）を表示してしまうため、月板や日板の回転位置に応じて開閉する機械式スイッチを設け、このスイッチによって表示される月や日を検出し、存在日が表示されるように日送りを行う月末修正機能を備えたものがある。
【特許文献１】国際公開ＷＯ９９／３４２６４号公報
【特許文献２】特開２００３−２５５０６３号公報
【発明の開示】
【発明が解決しようとする課題】
【０００３】
上記機械式スイッチは、暦検出用の歯車と一体的に回転する金属材料の板ばねと、この板ばねと常時接触する金属端子と、歯車の回転位置に応じて板ばねと接触するスイッチ端子とを設けることによって、これら端子間の導通をとっている。しかしながら、板ばねが金属端子と常時接触するため、負荷トルク（摩擦抵抗によって生じる回転負荷）が大きく、消費電力低減の観点から好ましくなかった。
また、金属端子を歯車の中心側に設け、その外側にスイッチ端子を周方向に配置していたため、歯車の径が小さいとこれら端子を配置することが困難になってしまうという問題もあった。
本発明は、上述した事情に鑑みてなされたものであり、機械式スイッチの負荷トルク低減と小型化を図ることによって、電力消費量の低減とスイッチレイアウトの最適化を図った暦表示機能付電子時計を提供することを目的としている。
【課題を解決するための手段】
【０００４】
上記課題を解決するため、本発明は、暦を表示する暦表示車或いは暦表示車と連動して回転する歯車の回転位置を機械式スイッチで検出して暦検出を行う暦表示機能付電子時計において、前記機械式スイッチは、前記歯車と一体的に回転するばね接点と、前記歯車の軸を中心とする同一円周上に配置され、前記歯車の回転位置に応じて前記ばね接点と接触する、電源端子を含む複数のスイッチ端子とから構成されることを特徴とする。
【０００５】
この構成によれば、暦検出のための機械式スイッチを、歯車と一体的に回転するばね接点と、その歯車の軸を中心とする同一円周上に配置されて歯車の回転位置に応じてばね接点と接触する、電源端子を含む複数のスイッチ端子とによって構成したことにより、ばね接点と電源端子が常時接触することがないので負荷トルクを低減でき、かつ、スイッチ端子の配置スペースを省スペースにすることができる。
【０００６】
この構成において、前記複数のスイッチ端子は、電源端子と、導通検出用の検出端子とであり、前記ばね接点は、前記歯車の回転位置に応じて前記電源端子と前記検出端子とにそれぞれ接触して、これら端子間を導通させる複数の足部を有するようにしてもよい。
【０００７】
また、月検出を行う場合、前記歯車は、月表示車或いは月検出用の歯車であり、前記複数のスイッチ端子は、電源端子と、２月検出用の第１検出端子と、小の月検出用の第２検出端子とであり、前記複数のスイッチ端子と前記ばね接点の複数の足部とは、２月の場合に前記電源端子と前記第２検出端子とが前記足部にそれぞれ接触し、小の月の場合に前記電源端子と前記第２検出端子とが前記足部にそれぞれ接触するように配置することが好ましい。この場合、前記複数のスイッチ端子と前記ばね接点の複数の足部とは、２月および小の月以外では接触しないように配置することが好ましい。
【０００８】
また、前記ばね接点の足部の先端は同一円周上に配置することが好ましく、また、前記ばね接点は前記足部を３つ備える３本足構成とすることが好ましい。さらに、前記ばね接点は左右対称形状に形成して回転バランスを良好にすることが好ましい。また、前記機械式スイッチが設けられる歯車は、前記暦表示車を回転させる暦表示機構の減速輪列にある歯車であることが好ましい。また、前記暦表示車が日車と月車を含む場合は、前記日車の回転位置を非接触で検出する非接触検出手段を設け、前記月車の回転位置の検出を前記機械式スイッチで行うことが好ましい。また、前記暦表示車が日車と月車と年車を含む場合は、前記日車の回転位置を非接触で検出する非接触検出手段を設け、前記月車及び前記年車の回転位置の検出を前記機械式スイッチで行うことが好ましい。
【発明の効果】
【０００９】
本発明は、暦検出を行うための機械式スイッチを、歯車と一体的に回転するばね接点と、その歯車の軸を中心とする同一円周上に配置されて歯車の回転位置に応じてばね接点と接触する、電源端子を含む複数のスイッチ端子とによって構成したことにより、ばね接点と電源端子が常時接触することがないので負荷トルクを低減でき、かつ、スイッチ端子の配置スペースを省スペースにすることができる。
【発明を実施するための最良の形態】
【００１０】
以下、図面を参照して本発明の一実施形態について説明する。本実施形態では、本発明を腕時計に適用した場合について例示する。なお、以下の説明において、日付は全て太陽暦に従うものとする。
【００１１】
図１は、本発明の一実施形態に係る腕時計の外観構成を示す図である。図１に示すように、腕時計１は、時計本体部１ａと、この時計本体部１ａに連結されたベルト１ｂとを備えて構成されている。時計本体部１ａは、筐体２００と、この筐体２００に設けられた円盤状の時刻表示盤２０２とを備え、この時刻表示盤２０２の上面には、秒針６１と、分針（長針）６２と、時針（短針）６３からなる３つの表示指針が設けられている。時刻表示盤２０２には、その円周に沿って、時刻を示す記号が等間隔に配置されており、表示指針の各々が指し示す数字または記号（本実施形態では、記号には、文字も含まれるものとする）により、現在時刻が表示される。
【００１２】
また、時刻表示盤２０２には、略矩形にくり抜かれてなる日表示窓２０４と、２４時表示部２０５と、月表示部２０６と、年表示部２０８とがそれぞれ設けられている。日表示窓２０４には、暦の「日」を示す「１」乃至「３１」のいずれか１の数字が表示される。この場合、後述するように、１位の数字と１０位の数字とは別々の日車（暦表示車）に付され、暦の「日」は、各日車に付された数字によって表示される。２４時表示部２０５には、その円周に沿って、２４等分された時刻を示す記号が等間隔に配置されており、表示指針２０５ａが指し示す記号により「時間」が表示される。
【００１３】
また、月表示部２０６には、その円周に沿って、暦の「月」を示す、例えば「ＪＡＮ」（１月を示す）〜「ＤＥＣ」（１２月を示す）のいずれか１の記号が等間隔に配置されており、表示指針２０６ａが指し示す記号により暦の「月」が表示される。年表示部２０８には、その円周に沿って、数字「０」乃至「３」のいずれか１の数字が等間隔に表示され、閏年であれば、表示指針２０８ａが数字「０」を指し示し、それ以降、「１」「２」「３」を指し示せば、それは閏年から何年目であるかを表示する。これにより、ユーザは暦の「年」を知ることができる。
【００１４】
この時計本体部１ａ内には、時刻表示盤２０２と略同形状の円盤状の地板３０３（図１２）が配置され、この地板３０３を挟んで、時計の表側にはオートカレンダ機構（暦表示機構）が配置され、裏側には時計としての基本機構が配置されている。なお、この地板３０３は、オートカレンダ機構の各歯車の一端を軸支する部材として機能する。
【００１５】
図２はオートカレンダ機構を示す図であり、図３はその拡大図である。このオートカレンダ機構は、上記地板３０３の一方の面（時計１の表側）に支持され、その駆動源は、圧電アクチュエータ（駆動手段）７１である。この圧電アクチュエータ７１は、振動子である圧電素子を備え、この圧電素子の振動により、圧電ロータ７２の外周部を突っつき、これによって、当該圧電ロータ７２を回転させる。この圧電ロータ７２は圧電ロータかな７２ａを一体に備え、この圧電ロータかな７２ａには、中間車７３が噛み合い、その中間車かな７３ａには、中間車７４が噛み合う。この中間車７４の中間車かな７４ａには、中間車７５が噛み合い、その中間車かな７５ａには、中間車７６が噛み合う。この中間車７６は、制御車かな７７に噛み合い、この制御車かな７７は、制御車７８と一体に形成される。ここまでは制御車７８を回すための減速輪列である。なお、２１１は、制御車かな７７の位置決め用のジャンパである。
【００１６】
制御車７８は、爪数が異なる複数の爪車を備え、いずれかの爪車が、図２中、制御車７８の上方に位置する、１位の日車（１位表示体（暦表示車））８９を回す日回し車８７と、１０位の日車（１０位表示体（暦表示車））９２を回す日回し車９０と、図中で制御車７８の右下に位置する、月車（暦表示車）８２を回す月表示中間車７９とにそれぞれ噛み合う。ここで、１位の日車８９の外周表面には「０」〜「９」の数字が周方向に等間隔に表示され、１０位の日車９２の外周表面には「空領域」と「１」〜「３」の数字が周方向に等間隔に表示される。なお、「空領域」とは数字の記載がない領域で、該当日が一桁の「日」（すなわち、１日〜９日）に相当するとき、１０位に位置付けられる。
【００１７】
上述した日表示窓２０４には、１位の日車８９上の数字「０」〜「９」と、１０位の日車９２上の「空領域」或いは数字「１」〜「３」との組み合わせにより、暦の「日」を示す「１」乃至「３１」のいずれかの数字が表示される。
【００１８】
上述した制御車７８が回転すると、まず、１位の日車８９に対応する歯車体の１位送り爪を介して、日回し車８７および１位日かな８８が回転し、これと一体に１位の日車８９が回転し、その外周表面上の数字「０」〜「９」が、原則的に、１日に１回の割合で周方向に一つ送られる。この制御車７８の回転に応じて、１位の日車８９の回転が進み、１０位が繰り上がる日付に至ると、今度は、１０位の日車９２に対応した歯車体の１０位送り爪を介して、日回し車９０および１０位日かな９１が回転し、これと一体に１０位の日車９２が回転し、その外周表面上の「空領域」或いは数字「１」〜「３」が、１０日に１回の割合で周方向に一つ送られる。
【００１９】
また、制御車７８の回転に対応して、１位の日車８９および１０位の日車９２の回転が進み、「月」の表示が繰り上がる日付に至ると、今度は、月車８２に対応した歯車体の月送り爪を介して、月表示中間車７９および月検出車８０が回転し、これと一体に月車８２が回転する。そして、その表示指針２０６ａが回転し、月表示部２０６上の暦の「月」を示す「ＪＡＮ」（１月を示す）〜「ＤＥＣ」（１２月を示す）のいずれか１の記号が指し示され、暦の「月」表示が行われる。ここまでが月車８２を回すための減速輪列である。
【００２０】
上記月検出車８０には、年表示中間車８３が噛み合い、この年表示中間車８３には年送り車８４が噛み合う。そして、この年送り車８４には年車（暦表示車）８５が噛み合い、この年車８５には、暦の「年」を指し示す表示指針２０８ａが接続される。この場合、年送り車８４は、１年の期間を経て、初めて年車８５を９０°回転させるように構成される。従って、表示指針２０８ａは、１年に１回送られる。そして、閏年であれば、表示指針２０８ａが数字「０」を指し示し、それ以降、「１」「２」「３」を指し示せば、例えば、それは閏年から何年目であるかを表示し、これにより、暦の「年」が表示される。
【００２１】
上記２４時表示部２０５では、その駆動力が、オートカレンダ機構の駆動源とは異なり、地板３０３の裏側に配置された時計の後述する運針機構Ｅ（図１３）の駆動源から取られる。すなわち、運針機構Ｅの筒車（時針（短針）６３を支持する筒車）に筒車体９３が一体化されており、この筒車体９３には、２４時検出車９４が噛み合う。そして、この２４時検出車９４には、２４時車９５が噛み合い、この２４時車９５の回転により、２４時表示部２０５の表示指針２０５ａが回転する。この表示指針２０５ａは、１時間に１回送られる。
【００２２】
次に、カレンダ検出（月検出、年検出および日検出）について説明する。
上記構成において、月検出車８０には、表示される月が、２月か、２月を除く「小」の月（ひと月の日数が３１日に満たない２月、４月、６月、９月、１１月）か、「大」の月かの３パターンを検出するためのばねスイッチ３３０が設けられる。このばねスイッチ３３０は、月検出車８０の回転位置に応じて開閉される機械式スイッチであり、図２および図４に示すように、月検出車８０の支持軸８１に固定されたばね接点９８と、地板３０３に配置された回路基板３０３ａの配線パターンの一部を構成する複数のスイッチ端子９８Ｔとから構成される。ここで、図５はばね接点９８の平面図であり、図６はスイッチ端子９８Ｔの配置を示す図である。
【００２３】
図５に示すように、ばね接点９８は、弾性を有する金属材料、例えば、リン青銅やステンレス鋼等で形成され、略中央に月検出車８０の支持軸８１に挿通される孔９９を有し、外側に延びる３本の足部９８ａ、９８ｂ、９８ｃを一体的に備える３本足構成に形成される。これら足部９８ａ〜９８ｃは同一長さに形成されると共に、先端部に円形状の窪み９８ｄが設けられ、この窪み９８ｄがスイッチ端子９８Ｔと点接触することでスイッチ端子９８Ｔとの摩擦抵抗を小さくしている。本実施形態では、この３本の足部９８ａ〜９８ｃを１５０度、６０度、１５０度の間隔で配置し、図５に示す一点鎖線を基準に左右対称形状に形成されている。このように左右対称形状に形成することで、重心位置を中央にして回転バランスを良好にでき、月検出車８０の回転に悪影響を与えないようにすると共に、スイッチ端子９８Ｔとの接触圧の偏りをなくして負荷トルクの偏りを回避するようになされている。
【００２４】
図６に示すように、スイッチ端子９８Ｔには、電源端子９８Ｔ１と、２月検出用の第１検出端子９８Ｔ２と、小の月検出用の第２検出端子９８Ｔ３とがあり、これら端子９８Ｔ１〜９８Ｔ３は月検出車８０の軸８１を中心とする同一円周上に配置される。ここで、図６においては、表示される月が１月の時のばね接点９８の位置を簡略的に示しており、このばね接点９８の回転方向（＝月検出車８０の回転方向）を符号αで示している。
【００２５】
本実施形態の構成、つまり、月検出車８０（ばね接点９８）がひと月当たり３０度回転する構成では、図示のように、第１検出用端子９８Ｔ２を基準（０度の位置）とすると、電源端子９８Ｔ１は、６０°、１８０°、３３０°の位置にそれぞれ配置され、第２検出端子９８Ｔ３は、１２０°、２１０°、２７０°の位置にそれぞれ配置される。すなわち、スイッチ端子９８Ｔは、同一円周上に７個配置される。そして、この電源端子９８Ｔ１には後述する電源部Ｃ（図１３）の電力（ＶＤＤライン）が供給され、第１検出用端子９８Ｔ２は後述する制御部Ａ（図１３）の端子ＣＳ０と接続され、第２検出端子９８Ｔ３は制御部Ａの端子ＣＳ１と接続されるようになっている。
【００２６】
これにより、図７に表示される月毎の端子ＣＳ０および端子ＣＳ１の状態を示すように、表示される月が２月の場合に、ばね接点９８が電源端子９８Ｔ１と第１検出用端子９８Ｔ２とに接触して端子ＣＳ０に電力（ＶＤＤ）が供給され、また、表示される月が小の月の場合に、ばね接点９８が電源端子９８Ｔ１と第２検出端子９８Ｔ３とに接触して端子ＣＳ１に電力（ＶＤＤ）が供給されることとなる。制御部Ａは、この端子ＣＳ０および端子ＣＳ１の状態（ＨレベルかＬレベル）の組み合わせを検出することにより、図８に示す月情報検出パターン（２ビット化したパターン）に基づいて、表示されている「月」が、「２月」か、２月を除く「小の月」か、或いは「大の月」かのいずれかを検出できるようになっている。
【００２７】
このように、このばねスイッチ３００は、大の月の場合は、ばね接点９８が電源端子９８Ｔ１を含むスイッチ端子９８Ｔと接触しない構成となっているため、係る場合に負荷トルクが生じる場合が回避されている。また、スイッチ端子９８Ｔは同一円周上に配置されるため、月検出車８０が小径でばねスイッチの配置可能エリア（月検出車８０の直径が４．７ｍｍの場合は直径３．０ｍｍの範囲）が小さくてもそのエリア内に配置することが可能となっている。
【００２８】
また、上記構成において、年表示中間車８３の中間車かな８３ａには、年検出車８６が噛み合い、この年検出車（検出車）８６には上記ばねスイッチ３３０と略同様のばねスイッチ３２０が設けられる。具体的には、図２および図４に示すように、年検出車８６の支持軸にばね接点９６が設けられ、このばね接点９６と対向する回路基板上には、年検出車８６の回転に応じて、年検出車８６と共に回転するばね接点９６を介して導通するスイッチ端子９６Ｔが設けられる。
【００２９】
ここで、図９は、スイッチ端子９６Ｔの配置を示す図である。この図に示すように、このスイッチ端子９６Ｔは、表示される年が「閏年」の際に、ばね接点９６を介して導通する電源端子９６Ｔ１と閏年検出用端子９６Ｔ２とである。制御部Ａは、この閏年検出用端子９６Ｔ２と接続された端子ＣＳ２を介してばねスイッチ３２０の開閉（ＨレベルかＬレベルか）を検出することにより、図１０に示す年情報検出パターンに基づいて該当年が「閏年」か「非閏年（平年）」かの２パターンを検出するようになっている。このばねスイッチ３２０においても、「非閏年」の場合は、ばね接点９６が電源端子９６Ｔ１および閏年検出用端子９６Ｔ２と接触しないため、係る場合に負荷トルクが生じる場合が回避されている。なお、このばね接点９６は、上記ばね接点９８と同一のものが使用され、これにより部品の共有化が図られている。
【００３０】
また、１位の日車（検出車）８９および１０位の日車（検出車）９２の裏面には、反射領域と非反射領域とが設けられた光検出用パターン（図示せず）が設けられ、地板３０３に設けられた基板上に、このパターンを読みとる複数のフォトリフレクタ（反射型フォトセンサ）が設けられる。具体的には、１０位の日車９２と対向する基板上には、異なる位置に光を照射してその反射光を受光する２つのフォトリフレクタが配置され、この日車９２の裏面には、各フォトリフレクタによって、表示されている日が、「００or１０」、「２０」、「３０」のいずれかを判別可能にする光検出用パターンが設けられる。この２つのフォトリフレクタの一方は、制御部Ａの端子ＰＴ２に接続され、他方は端子ＰＴ３に接続される。また、１位の日車８９と対向する基板上にも、２つのフォトリフレクタが配置され、この日車８９の裏面には、各フォトリフレクタによって、表示されている１位の「日」が「２〜８」、「９」、「０」、「１」のいずれかを判別可能にする光検出用パターンが設けられる。この２つのフォトリフレクタの一方は、制御部Ａの端子ＰＴ０に接続され、他方は端子ＰＴ１に接続される。
【００３１】
図１１に日情報検出パターンを示すように、制御部Ａは、これら４つのフォトリフレクタの受光結果に基づいて、表示されている１０位の「日」が、「０ｏｒ１」か、「２」か、「３」のいずれかを検出すると共に、表示されている１位の「日」が、小の月には存在しない日（２９、３０、３１）の１位の日である「９」か、「０」か、「１」か、それとも「２〜８」のいずれかを検出するようになっている。すなわち、日の検出パターン数は１２となっている。但し、この検出パターンには、非存在の日（０日、３２〜３８日、３９日）を含んでおり、また、日検出は、後述するように存在日か否か（月末補正が必要か否か）を判定するために使用されるものであるから、最低、「１〜２８日」、「２９日」、「３０日」、「３１日」の４種類の検出パターンを検出すればよい。
【００３２】
上述したように、本実施形態では、検出パターン数が多く、かつ、圧電ロータ７２に対する減速比が小さい歯車、すなわち、回転トルクが小さい歯車（日車８９、９２）を用いる日検出には、非接触検知のため比較的耐久性が高いフォトリフレクタを用い、その他のカレンダ検出には、上記ばねスイッチを用いることで、耐久性にも負荷トルク低減にも消費電力低減にも優れたカレンダ検出機構が提供される。
【００３３】
次に、圧電ロータ７２の送り量検出および２４時検出について説明する。
圧電ロータ７２の送り量検出は、上述した中間車７５に設けた、上記ばねスイッチ３３０と略同様のばねスイッチ３００で行うようになっている。具体的には、図１２に示すように、中間車７５の支持軸にばね接点３０１が設けられ、このばね接点３０１と対向する回路基板上には、中間車７５の回転位置に応じてばね接点９６を介して導通するスイッチ端子３０２が設けられる。このスイッチ端子３０２は、圧電ロータ７２の送り量が暦を１日分送る送り量になる毎に、つまり、その送り量に対応する角度だけ中間車７５が回転する毎に、ばね接点３０１を介して導通した状態（閉状態）から非導通の状態（開状態）に切り替わるように、回路基板３０３ａの配線パターンの一部として構成されている。このスイッチ端子３０２は、制御部Ａと接続され、制御部Ａは、このばねスイッチ３００の開状態から閉状態への切り替わりを検出することにより、圧電ロータ７２の送り量が暦を１日分送る送り量となったことを検出する。すなわち、このばねスイッチ３００は、圧電ロータ７２の送り量を検出するロータ送り量検出手段として機能する。
【００３４】
また、２４時検出車９４には、上記ばねスイッチ３３０と略同様のばねスイッチ３１０が設けられ、このばねスイッチ３１０により、表示指針２０５ａが「午前零時」を指し示したことが検出される。具体的には、図２に示すように、２４時検出車９４には、ばね接点９７が設けられ、このばね接点９７と対向する回路基板上に、２４時検出車９４が「午前零時」の回転位置となったときにばね接点９７を介して導通するスイッチ端子（図示せず）が設けられる。このばねスイッチ３１０の開閉は、後述する制御部Ａによって検出される。すなわち、このばねスイッチ３１０は、「午前零時」を検出する２４時検出手段として機能する。このばねスイッチ３１０においても、「午前零時」以外の場合は、ばね接点９７がスイッチ端子（電源端子を含む）と接触せず、「午前零時」以外では負荷トルクが生じないように構成されている。なお、ばね接点３０１および９７についても、ばねスイッチ３３０のばね接点９８と同一のものが使用され、部品の共有化が図られている。
【００３５】
図１３は、腕時計１の電気的構成を機械的構成と共に示す図である。同図に示すように、腕時計１は、制御部Ａと、発電部Ｂと、電源部Ｃと、指針駆動部Ｄと、運針機構Ｅと、日付機構駆動部Ｆと、オートカレンダ機構（圧電ロータ７２のみを示す）とを備えている。
【００３６】
発電部Ｂは、交流電力を発電するものであり、回転錘４５を備えている。この回転錘４５は、ユーザの手首などの動きに伴って旋回可能に設けられており、回転錘４５の旋回（運動エネルギー）が増速用ギア４６を介して発電装置４０に伝達されるようになっている。発電装置４０は、発電用ステータ４２と、この発電用ステータ４２の内部に回転可能に設けられた発電用ロータ４３と、発電用ステータ４２に電気的に接続された発電コイル４４とを備えており、発電用ロータ４３が回転錘４５の旋回（運動エネルギー）により回転し、この回転により発電コイル４４に交流電圧が誘起されるようになっている。つまり、腕時計１がユーザに装着されている間、ユーザが何らかの動作をするに伴い、回転錘４５が旋回することにより、発電が行われる。
【００３７】
電源部Ｃは、発電部Ｂからの交流電圧を整流して蓄電し、蓄電した電力を昇圧して各構成部分へ給電する。具体的に説明すると、電源部Ｃは、整流回路として作用するダイオード４７、大容量コンデンサ４８および昇降圧回路４９から構成されている。昇降圧回路４９は、３つの容量４９ａ、４９ｂおよび４９ｃを用いて多段階の昇圧および降圧ができるようになっており、制御部Ａからの制御信号によって指針駆動部Ｄに供給する電圧を調整することができる。また、昇降圧回路４９の出力電圧はモニタ信号によって制御部Ａにも供給されており、これによって、制御部Ａは、出力電圧をモニタしている。ここで、電源部Ｃは、Ｖｄｄ（高電圧側）を基準電位（ＧＮＤ）に取り、Ｖｓｓ（低電圧側）を電源電圧として生成している。
【００３８】
指針駆動部Ｄは、制御部Ａの制御の下、運針機構Ｅに様々な駆動パルスを供給するものである。本実施形態では、指針駆動部Ｄは、秒針６１を駆動する秒針駆動部Ｄ１と、時針６３、分針６２および２４時表示用の表示指針２０５ａを駆動する時分針駆動部Ｄ２とから構成されている。さらに説明すると、秒針駆動部Ｄ１は、直列に接続されたｐチャンネルＭＯＳ３３ａとｎチャンネルＭＯＳ３２ａ、およびｐチャンネルＭＯＳ３３ｂとｎチャンネルＭＯＳ３２ｂによって構成されたブリッジ回路を備えている。また、秒針駆動部Ｄ１は、ｐチャンネルＭＯＳ３３ａおよび３３ｂとそれぞれ並列に接続された回転検出用抵抗３５ａおよび３５ｂと、これらの抵抗３５ａおよび３５ｂにチョッパパルスを供給するためのサンプリング用のｐチャンネルＭＯＳ３４ａおよび３４ｂを備えている。したがって、これらのＭＯＳ３２ａ、３２ｂ、３３ａ、３３ｂ、３４ａおよび３４ｂの各ゲート電極に制御部Ａからそれぞれのタイミングで極性およびパルス幅の異なる制御パルスが印加されることにより、運針機構Ｅの一部を構成する秒針運針機構Ｅ１に、例えば極性の異なる駆動パルスなどの様々の駆動パルスを供給することができるようになっている。
【００３９】
また、時分針駆動部Ｄ２は、秒針駆動部Ｄ１と略同様に構成され、制御部Ａから極性およびパルス幅の異なる制御パルスが印加されることにより、運針機構Ｅの一部を構成する時分針運針機構Ｅ２に、例えば極性の異なる駆動パルスなどの様々の駆動パルスを供給することができるようになっている。
【００４０】
運針機構Ｅは、秒針運針機構Ｅ１と時分針駆動部Ｅ２から構成される。秒針運針機構Ｅ１は、ステッピングモータ１０を備え、このステッピングモータ１０により秒針６１を回転駆動する。詳述すると、ステッピングモータ１０は、秒針駆動部Ｄ１から供給される駆動パルスによって磁力を発生する駆動コイル１１と、この駆動コイル１１によって励磁されるステータ１２と、さらに、ステータ１２の内部において励磁される磁界により回転するロータ１３を備えている。また、ステッピングモータ１０は、ロータ１３がディスク状の２極の永久磁石によって構成されたＰＭ型（永久磁石回転型）で構成されている。ステータ１２には、駆動コイル１１で発生した磁力によって異なった磁極がロータ１３の回りのそれぞれの相（極）１５および１６に発生するように磁気飽和部１７が設けられている。また、ロータ１３の回転方向を規定するために、ステータ１２の内周の適当な位置には内ノッチ１８が設けられており、コギングトルクを発生させてロータ１３が適当な位置に停止するようにしている。このステッピングモータ１０のロータ１３の回転は、かなを介してロータ１３に噛合された秒中間車５１および秒車５２からなる輪列５０によって秒針６１に伝達され、秒針６１が回転駆動される。
【００４１】
また、時分針駆動部Ｅ２は、ステッピングモータ２０を備えており、ステッピングモータ２０が分針６２を回転駆動することにより、この分針６２の回転に連動して、時針６３と２４時表示用の表示指針２０５ａとを回転駆動する。詳述すると、ステッピングモータ２０は、上記ステッピングモータ１０と同様に、ステータ２２とロータ２３を備え、ステータ２２には、駆動コイル２１で発生した磁力によって異なった磁極がロータ２３の周りのそれぞれの相（極）２５および２６に発生するように磁気飽和部２７Ａが設けられている。また、ロータ２３の回転方向を規定するために、ステータ２２の内周の適当な位置には内ノッチ２８Ａが設けられ、コギングトルクを発生させてロータ２３が適当な位置に停止するようになっている。
【００４２】
このステッピングモータ２０のロータ２３の回転は、かなを介してロータ２３に噛合された四番車２６、三番車２７、二番車２８、日の裏車２９、筒車（時指示車）９３ａ、筒車体９３、２４時検出車９４および２４時車９５からなる輪列３０によって各針に伝達される。二番車２９には分針６２が接続され、筒車９３ａには時針６３が接続され、さらに、２４時車９５には表示指針２０５ａが接続されている。ロータ２３の回転に連動してこれらの各針によって時分が表示される。
【００４３】
日付機構駆動部Ｆは、制御部Ａの制御の下、圧電アクチュエータ７１の圧電素子に交流電圧を印加することにより、圧電アクチュエータ７１に振動を生じさせ、この振動により圧電ロータ７２の外周部を突っついて当該圧電ロータ７２を回転駆動させ、これによって、オートカレンダ機構を駆動するものである。ここで、日付機構駆動部Ｆは、地板を介して運針機構Ｅとは対向して配置されることが望ましい。
【００４４】
図１４は、制御部Ａの機能構成を示すブロック図である。制御部Ａは、腕時計１の各部を制御するものであり、指針駆動部Ｄおよび運針機構Ｅを制御する時計制御部Ａ１と、オートカレンダ機構を制御してカレンダ送り処理を行うカレンダ制御部Ａ２とを備えている。カレンダ制御部Ａ２は、上述したばねスイッチ３００、３１０、３２０、３２１、３３２およびフォトリフレクタ（図中ＰＲで示す）と電気的に接続されており、２４時検出車９４に設けられたばねスイッチ３００が閉状態となった場合に、カレンダ送り処理として、オートカレンダ機構を１日分だけ回転駆動する１日送り処理と、送られた日を検出して非存在日であるか否かを判定するカレンダ検出処理と、非存在日であると判断すると、実際の存在日を表示させるべくオートカレンダ機構を駆動していわゆる月末補正を行うカレンダ補正処理とを実行する。
【００４５】
図１５は、カレンダ送り処理を示すフローチャートである。また、図１６は、このカレンダ送り処理時の１日送り処理のときのタイミングチャートを示す図である。まず、カレンダ制御部Ａ２は、時刻が「午前零時」になり、図１６に示すように、２４時検出車９４に設けられたばねスイッチ３１０が閉じてこのばねスイッチ３１０に接続された端子がＨレベルに切り替わったことを検出すると、（ステップＳ１）、日付機構駆動部Ｆに対して日送信号（スタート信号）を出力する。この場合、日付機構駆動部Ｆが圧電アクチュエータ７１駆動用の交流信号を出力することにより、圧電ロータ７２が回転駆動されてオートカレンダ機構が駆動される（ステップＳ２）。そして、圧電ロータ７２の送り量が１日分の送り量となり、圧電ロータ７２の送り量検出用のばねスイッチ３００が開から閉に切り替わり、このばねスイッチ３００に接続された端子がＨレベルからＬレベルに切り替わったことを検出すると、日付機構駆動部Ｆに対してストップ信号を出力してオートカレンダ機構の駆動を停止させる（ステップＳ３）。以上が１日送り処理である。このように、圧電アクチュエータ７１の駆動時にばねスイッチ３００で圧電ロータ７２の送り量を検出するように構成しているので、比較的消費電力が多いフォトリフレクタで圧電ロータ７２の送り量を検出する場合に比して、圧電アクチュエータ７１の駆動と、圧電ロータ７２の送り量検出とを同時に行う場合の消費電力を低くすることが可能となっている。
【００４６】
続いて、カレンダ制御部Ａ２は、カレンダ検出処理を実行する。具体的には、カレンダ制御部Ａ２は、まず、端子ＣＳ１の検出を行い（ステップＳ４）、検出した電位（ＨレベルかＬレベル）に基づいて、現在表示されている月が「大の月」か否かを判定する（ステップＳ５）。具体的には、図８に示すように、カレンダ制御部Ａ２は、端子ＣＳ１はＬレベルであれば「大の月」と判定する。「大の月」と判定すると、「大の月」は非存在日が存在しない月であるため、存在日を表示していると判定でき、カレンダ制御部Ａ２は、カレンダ送りの処理を終了する。
【００４７】
ステップＳ５において、現在表示されている月が「大の月」でない（すなわち月末補正を必要とする設定暦情報に該当する（端子ＣＳ１がＨレベル））と判定すると、カレンダ制御部Ａ２は、端子ＰＴ３に対応するフォトリフレクタを駆動し、このフォトリフレクタの検出結果を端子ＰＴ３を介して検出する（ステップＳ６）。そして、カレンダ制御部Ａ２は、検出した電位に基づいて、現在表示されている「日」が「１〜１９日」に該当するか否かを判定する（ステップＳ７）。具体的には、図１１に示すように、カレンダ制御部Ａ２は、端子ＰＴ３がＬレベルであれば、「日」の１０位の値が「０」か「１」であるため、表示されている「日」が「１〜１９日」と判定する。「１〜１９日」と判定した場合は、月末補正が不必要な日、つまり、存在日を表示していると判定できるため、カレンダ制御部Ａ２は、カレンダ送りの処理を終了する。
【００４８】
ステップＳ７において、現在表示されている「日」が「１〜１９日」でない（すなわち月末補正を必要とする設定暦情報に該当する（端子ＰＴ３がＨレベル））と判定すると、カレンダ制御部Ａ２は、端子ＰＴ０〜ＰＴ２に対応するフォトリフレクタを駆動し、これらフォトリフレクタの検出結果を端子ＰＴ０〜ＰＴ２を介して検出する（ステップＳ８）。なお、これらフォトリフレクタはタイミングをずらして駆動することが好ましい。このように複数のフォトリフレクタの駆動タイミングをずらすことによって、駆動電源の定格電流を超えてしまう場合を容易に回避することができる。そして、カレンダ制御部Ａ２は、端子ＰＴ０〜ＰＴ２の検出結果の組み合わせから現在表示されている日が、「２０〜２８日」に該当するか否かを判定する（ステップＳ９）。具体的には、カレンダ制御部Ａ２は、図１１に示すように、端子ＰＴ２がＬレベルで、かつ、端子ＰＴ１がＨレベル或いは端子ＰＴ０がＬレベルの場合に「２０〜２８日」であると判定する。「２０〜２８日」と判定した場合は、大の月と小の月の両方に必ず存在する日であるため、存在日と判定でき、カレンダ制御部Ａ２は、カレンダ送りの処理を終了する。
【００４９】
すなわち、カレンダ制御部Ａ２は、まず、現在表示されている月が「大の月」か否かを判定し、「大の月」でない場合にのみ日の検出を行う。従って、現在表示されている月が「大の月」の場合は、日や年の検出を行わないので、その分、カレンダ検出に要する電力を節約することが可能となる。また、「大の月」でない場合、カレンダ制御部Ａ２は、一つのフォトリフレクタだけを駆動してその検出結果から現在表示されている日が「１〜１９日」か否かを判定し、つまり、日の１０位が小の月と大の月に必ず存在する「１」か「０」に該当するか否かを判定し、該当しない場合にのみ他のフォトリフレクタを駆動して日の１位の検出を行う。従って、日の１位が「１」か「０」の場合は日の１０位の検出を行う必要がないので、その分、カレンダ検出に要する電力を節約することができる。
【００５０】
また、ステップＳ９において、現在表示されている日が「２０〜２８日」ではない（すなわち月末補正を必要とする設定暦情報に該当する）と判定すると、カレンダ制御部Ａ２は、端子ＣＳ０と端子ＣＳ２の検出を行い（ステップＳ１０）、現在表示されている、年、月および日を全て検出する。以上がカレンダ検出処理であり、次にカレンダ補正処理を説明する。
【００５１】
まず、カレンダ制御部Ａ２は、検出した年月日に基づいて現在表示されている日が「３１日」か否か、具体的には、図１１に示すように、端子ＰＴ１と端子ＰＴ０とがＨレベルか否かを判定する（ステップＳ１１）。「３１日」と判定した場合、カレンダ制御部Ａ２は、現在表示されている月が「２月を除く小の月」か否か、具体的には、端子ＣＳ１と端子ＣＳ０とがＨレベルか否かを判定し（ステップＳ１２）、「２月を除く小の月」と判定すると、非存在日が表示されていると判定できるため、存在日が表示されるように、日付機構駆動部Ｆに対して日送信号を出力してオートカレンダ機構を１日分回転駆動させ（ステップＳ１３）、このカレンダ送り処理を終了する。
【００５２】
ところで、この腕時計１においては、発電部Ｂが所定期間（例えば３日間）継続して発電していない場合に、通常の動作モードから、運針機構Ｅとオートカレンダ機構の駆動を停止して節電を図る節電モードに切り換え、発電部Ｂの発電が検出されると、内部の時計回路で計測していた現在時刻を表示するまで運針機構Ｅを高速駆動すると共に、その節電モードの経過日数分だけ日付を進めるべく、オートカレンダ機構を回転駆動させて時刻およびカレンダを現在のものに復帰させる機能を具備している。この復帰の際、節電モードの期間が例えば２年以下の場合は通常のカレンダ送りと同回転方向の正回転でオートカレンダ機構を駆動する一方、例えば、２年以上４年以下の場合は逆回転でオートカレンダ機構を駆動し、これにより、オートカレンダ機構の回転駆動量が少ない回転方向に回転駆動させて高速復帰と低消費電力との両立を図るようになっている。しかしながら、このオートカレンダ機構の復帰は、月末修正を考慮せずに、単に節電モードの経過日数分だけ日付を進めるものであるため、「２月３１日」、「２月３０日」、および平年の「２月２９日」を表示してしまう場合が生じる。本実施形態ではかかる復帰動作を行った場合にもステップＳ４移行の処理が実施され、この場合も考慮してカレンダ補正処理が規定されている。なお、節電モードの期間が２年以上４年以下の場合に、通常のカレンダ送りと同回転方向の正回転でオートカレンダ機構を駆動しても差し支えない。
【００５３】
また、本発明では節電モード時はカレンダ送りも停止し、時刻復帰時に合わせカレンダ復帰をする説明を行ったが、節電モード時は時刻送りを停止させ、カレンダ送りのみ１日毎に実施してもよい。この場合、最初の２４時検出を電気接点により検出後は２４時間のカウンタをＩＣ上で持たせ、節電モードのみこのカウンタにより２４時間毎にカレンダ送りを実施してステップＳ４以降の処理を実施すればよく、長時間放置後の節電モード復帰時にカレンダ送りにかかる長い復帰時間の回避や復帰時間中の操作制限を回避することができる。
【００５４】
具体的には、ステップＳ１２の処理において、「２月を除く小の月」ではない、つまり、「２月３１日」を表示していると判定すると、カレンダ制御部Ａ２は、オートカレンダ機構の復帰時の回転方向が正転（正回転）だったか否かを判定し（ステップＳ１４）、正転の場合はステップＳ１３に移行し、オートカレンダ機構を１日分回転駆動させて「３月１日」を表示させた後、このカレンダ送り処理を終了する。一方、正転でないと判定すると、カレンダ制御部Ａ２は、端子ＣＳ２の検出結果に基づいて閏年か否かを判定し（ステップＳ１５）、閏年の場合は、オートカレンダ機構を２日分逆転駆動させて「２月２９日を表示させ（ステップＳ１６）、閏年でない場合は、オートカレンダ機構を３日分逆転駆動させて「２月２８日」を表示させた後（ステップＳ１７）、カレンダ送り処理を終了する。これにより、正転又は逆転により「２月３１日」が表示された場合も適切に存在日に補正することが可能となっている。なお、上記節電モードの機能を具備しない腕時計にあっては、ステップＳ１５〜Ｓ１７の処理を省略すればよい。
【００５５】
また、ステップＳ１１において、「３１日」でないと判定した場合、カレンダ制御部Ａ２は、「２月を除く小の月」の「３０日」か否か、具体的には、端子ＣＳ０がＬレベルで、端子ＰＴ２がＨレベルであったか否かを判定する（ステップＳ２０）。「２月を除く小の月」の「３０日」と判定すると、カレンダ制御部Ａ２は、存在日を表示していると判定できるため、カレンダ送りの処理を終了する。
【００５６】
このステップＳ２０において、「２月を除く小の月」の「３０日」でないと判定すると、カレンダ制御部Ａ２は、「２月３０日」か否か、具体的には、端子ＣＳ０がＨレベルで、端子ＰＴ２がＨレベルであったか否かを判定する（ステップＳ２１）。「２月３０日」と判定すると、カレンダ制御部Ａ２は、オートカレンダ機構の復帰時の回転方向が正転（正回転）だったか否かを判定し（ステップＳ２２）、正転の場合は、オートカレンダ機構を２日分回転駆動させて「３月１日」を表示させた後（ステップＳ２３）、このカレンダ送り処理を終了する。
【００５７】
また、正転でない（逆転）と判定すると、カレンダ制御部Ａ２は、端子ＣＳ２の検出結果に基づいて閏年か否かを判定し（ステップＳ２４）、閏年でない場合は、ステップＳ２３に移行し、オートカレンダ機構を２日分逆転駆動させて「２月２８日」を表示させ、閏年の場合は、オートカレンダ機構を１日分逆転駆動させて「２月２９日」を表示させた後（ステップＳ２５）、カレンダ送り処理を終了する。これにより、正回転又は逆回転で「２月３０日」が表示された場合も適切に存在日に補正することが可能となっている。なお、上記節電モードの機能を具備しない腕時計にあっては、ステップＳ２０〜Ｓ２５の処理を省略することができる。
【００５８】
また、ステップＳ２１において、「２月３０日」でないと判定すると、カレンダ制御部Ａ２は、閏年の２月か否かを判定し、具体的には、端子ＣＳ２がＬレベルであったか否かを判定し（ステップＳ２６）、閏年の２月と判定すると、存在日を表示していると判定できるため、カレンダ送りの処理を終了する。
【００５９】
このステップＳ２６において、閏年の２月でないと判定すると、カレンダ制御部Ａ２は、オートカレンダ機構の復帰時の回転方向が正転（正回転）だったか否かを判定する（ステップＳ２７）、そして、カレンダ制御部Ａ２は、正転の場合はオートカレンダ機構を３日分回転駆動させて「３月１日」を表示させ（ステップＳ２８）、逆転の場合は、オートカレンダ機構を１日分回転駆動させて「２月２８日」を表示させた後（ステップＳ２９）、カレンダ送りの処理を終了する。これにより、正回転又は逆回転で「２月２９日」が表示された場合も適切に存在日に補正することが可能となっている。なお、上記節電モードの機能を具備しない腕時計にあっては、ステップＳ２７〜Ｓ２９の処理を省略することができる。
【００６０】
このように、カレンダ制御部Ａ２が、現在表示されている月を検出し、この月が「大の月」でない（すなわち「小の月」）と判定される場合にのみその他の暦情報（「日」や「年」）を検出して表示されている日付が存在日か否かを判定するので、現在表示されている月が「大の月」の場合は、日や年の検出を行わないですむ。従って、カレンダ検出に要する消費電力を低減することができる。そして、カレンダ制御部Ａ２は、現在表示されている日の１０位を検出し、この値が、日の１０位が小の月と大の月に必ず存在する「１」か「０」に該当するか否かを判定し、該当する場合にのみ、日の１位を検出するので、現在表示されている日の１０位が「１」か「０」の場合は日の１位の検出を省略でき、これによっても消費電力を低減することができる。
【００６１】
以上説明したように、本実施形態に係る腕時計１によれば、月検出、年検出および２４時検出には、電源端子を含むスイッチ端子を同一円周上に配置したばねスイッチ３００、３２０および３３０を用いることにより、ばね接点と電源端子が常時接触し、さらに、電源端子とそれ以外の端子とが周方向に配置される従来のばねスイッチを用いたものに比して、負荷トルクを低減して消費電力を低減でき、かつ、電源端子を含むスイッチ端子の配置スペースを省スペースですむ。従って、これらばねスイッチを配置する歯車は小径でよく、オートカレンダ機構の任意の歯車にばねスイッチを配置することが可能となり、オートカレンダ機構のスイッチレイアウトの自由度が向上し、オートカレンダ機構の小型化や設計が容易となる。
【００６２】
また、本実施形態によれば、検出パターン数が多く、かつ、圧電ロータ７２に対する減速比が小さい（回転トルクが小さい）歯車を用いる日検出には、フォトリフレクタを用い、その他のカレンダ検出（月検出、年検出）や圧電ロータ７２の送り量検出や２４時検出には、ばねスイッチを用いることで、耐久性と、オートカレンダ機構の負荷トルク低減と消費電力低減とをより向上させることができる。すなわち、ばねスイッチを検出パターン数が多い日検出に用いると、ばねスイッチの開閉回数が多くなるため、ばねスイッチの耐久性が短期間で低下してしまう不具合があり、また、ばねスイッチを設けた歯車の回転トルクが小さいため、そのばねスイッチによる負荷トルクの影響が大となり、結果として圧電アクチュエータ７１の消費電力が上がってしまうという不具合が生じるが、本実施形態では、係る不具合を解消することができる。
【００６３】
また、カレンダ検出（月検出、年検出）に、ばねスイッチを用いることにより、ばねスイッチの開閉回数が減るので、切粉の発生を抑えることができ、時計の運針機構Ｅの止まりや指示ずれを防止することができる。なお、日付機構駆動部Ｆは、地板を介して、運針機構Ｅとは対向して配置されるから、前述の切粉が運針機構Ｅに侵入しずらい構成となっている。加えて、ばねスイッチの開閉回数が減るので、その許容応力を大きくすることができるから、ばねスイッチやばね接点の薄型小型化が可能になり、暦表示機構を薄く小さくすることができる。
【００６４】
さらに、圧電アクチュエータ７１を駆動して圧電ロータ７２を回転駆動する際に、この圧電ロータ７２の送り量をばねスイッチ３００で検出して圧電アクチュエータ７１の駆動を停止するようにしたことにより、圧電ロータ７２の送り量をフォトリフレクタを用いて検出する場合に比して消費電力を低減することができるだけでなく、圧電アクチュエータ７１の駆動と圧電ロータ７２の送り量検出とを同時に行った場合の消費電流を低減することができる。これにより、この腕時計１の消費電流が２次電池（大容量コンデンサ４８）の定格電流を超えてしまう場合をほぼ確実に回避することが可能となる。また、このばねスイッチ３００を圧電ロータ７２と制御車７８との間の減速輪列の中間車７５に設けているので、このばねスイッチ３００の負荷トルクがオートカレンダ機構の駆動に与える影響を支障がない程度に低く抑えることができる。
【００６５】
上述の実施形態は本発明の一態様を示すものであり、本発明の範囲内で任意に変更可能である。例えば、上述の実施形態では、日の１０位と１位とを別々の日車を用いて表示する場合について説明したが、１つの日車に「１〜３１」の数字を設けて日を表示するようにしてもよい。この場合、日車の裏面と対向する基板上に、２つのフォトリフレクタを配置し、この日車の裏面に、各フォトリフレクタの検出結果の組み合わせによって、表示されている日が「１〜２８日」、「２９日」、「３０日」、「３１日」のいずれかを判別可能な光検出用パターンを設けるようにすればよい。図１７は、この場合の日情報検出パターンの一例を示す図である。かかる場合、上記カレンダ送り処理において、ステップＳ７およびＳ９の処理に代えて、端子ＰＴ１およびＰＴ０の検出結果に基づいて「１〜２８日」か否かを判定し、「１〜２８日」の場合は年検出を行うことなく、カレンダ送り処理を終了するようにすればよい。これにより、表示している日が「１〜２８日」の場合は年検出を行う必要がなくなり、その分、消費電力を節約することが可能となる。
【００６６】
また、上述の実施形態では、日検出にフォトリフレクタを用いる場合について述べたが、日検出にフォトリフレクタを用いるとは限らず、要は、検出パターン数が多い検出、或いは、回転トルクが小さい歯車を用いる検出のいずれか一方の場合でもフォトリフレクタを用いるようにしてもよく、オートカレンダ機構の構成などに応じて適宜変更される。また、上述の実施形態では、日車に光検出用パターンを設け、このパターンをフォトリフレクタで読みとって日検出を行う場合について述べたが、日車に磁気検出用パターンを設け、このパターンを磁気ヘッドなど（磁気読取手段）で読みとって日検出を行うようにしてもよく、また、光検出および磁気検出以外の静電容量検出等の様々な非接触検出手段を適用してもよい。磁気検出の場合には、時計用歯車に複数の硬磁性膜パターンを設け、これと対向した基板上にはホール素子を配置して、磁化情報を硬磁性膜パターンから検出する。ボンディングワイヤの配線でホール素子制御電流をホール素子に流し、ホール素子起電力を測定する。ホール素子と硬磁性膜パターンとは非接触であり、運針への影響をなくしている。特に、ＧａＡｓホール素子はノンパッケージ品で３００μｍ×３００μｍ×１５０μｍ厚と非常に小さく、時計のムーブメントに容易に入れこむことができ、時計の厚みを変える必要もない。
【００６７】
また、上述の実施形態では、機械式スイッチとしてばねスイッチを用いる場合について例示したが、ばねスイッチの代わりに、その他の機械式スイッチを適用してもよい。また、ばねスイッチのばね接点が３本の足部を有する場合について述べたが、４本以上あってもよく、また、年検出および２４時検出用のばねスイッチのばね接点については２本にしてもよい。また、上述の実施形態では、圧電アクチュエータ７１によりオートカレンダ機構を駆動する場合について例示したが、圧電アクチュエータ７１に代えて、電磁モータや静電モータ等の他の駆動手段を用いてオートカレンダ機構を駆動するようにしてもよい。また、上述の実施形態では、日表示窓２０４と、２４時表示部２０５と、月表示部２０６と、年表示部２０８とを有する時計に本発明を適用する場合について例示したが、日だけを表示する時計や曜日を表示する時計にも適用可能であり、いずれの表示部を設けるかは任意である。なお、本発明の実施形態では、太陽暦を使用したもので説明したが、太陰暦に使用してもよい。
【００６８】
また、上述の実施形態では、発電部Ｂに回転錘４５が設けられ、この回転錘４５の旋回（運動エネルギー）から発電を行う構成について例示したが、発電部Ｂは、例えば、ソーラー発電や熱発電といった自然エネルギーによる発電を行う構成であってもよい。また、発電により電力を腕時計１の各部に供給する構成を例示したが、この腕時計１は、発電の代わりに一次電池を備える構成であってもよい。さらに、上述の実施形態では、本発明を腕時計に適用する場合を例示したが、懐中時計などの携帯型の時計や置き時計などの固定型の時計にも適用可能である。また、携帯型、固定型を問わず、標準時刻を示す電波（例えばＪＪＹ）を受信して時刻を修正する電波時計にも適用可能である。
【図面の簡単な説明】
【００６９】
【図１】本発明の一実施形態に係る腕時計の外観構成を示す図である。
【図２】腕時計のオートカレンダ機構を示す図である。
【図３】オートカレンダ機構の拡大図である。
【図４】年検出および月検出用のばねスイッチを説明するための図である。
【図５】ばねスイッチのばね接点の平面図である。
【図６】ばねスイッチのスイッチ端子の配置を示す図である。
【図７】表示される月毎の端子ＣＳ０および端子ＣＳ１の状態を示す図である。
【図８】月情報検出パターンの一例を示す図である。
【図９】年検出用のばねスイッチのスイッチ端子の配置を示す図である。
【図１０】年情報検出パターンの一例を示す図である。
【図１１】日情報検出パターンの一例を示す図である。
【図１２】圧電ロータの送り量検出用のばねスイッチを説明するための図である。
【図１３】腕時計の電気的構成を機械的構成と共に示す図である、
【図１４】制御部の機能構成を示すブロック図である。
【図１５】カレンダ送り処理を示すフローチャートである。
【図１６】１日送り処理のときのタイミングチャートを示す図である。
【図１７】変形例に係る日情報検出パターンの一例を示す図である。
【符号の説明】
【００７０】
１…腕時計、１０、２０…ステッピングモータ、７１…圧電アクチュエータ、７２…圧電ロータ、７８…制御車、８９…１位の日車、９２…１０位の日車、９６、９７、９８、３０１…ばね接点、９６Ｔ、９８Ｔ、９８Ｔ１、９８Ｔ２、３０２…導通端子部、２０４…月表示窓、２０５…２４時表示部、２０６…月表示部、２０８…年表示部、３００、３１０、３２０、３３０…ばねスイッチ、Ａ…制御部、Ａ１…時計制御部、Ａ２…カレンダ制御部、Ｂ…発電部、Ｃ…電源部、Ｄ…指針駆動部、Ｅ…運針機構、Ｆ…日付機構駆動部。
【図１】
2005265633.tif 000003
【図２】
2005265633.tif 000004
【図３】
2005265633.tif 000005
【図４】
2005265633.tif 000006
【図５】
2005265633.tif 000007
【図６】
2005265633.tif 000008
【図７】
2005265633.tif 000009
【図８】
2005265633.tif 000010
【図９】
2005265633.tif 000011
【図１０】
2005265633.tif 000012
【図１１】
2005265633.tif 000013
【図１２】
2005265633.tif 000014
【図１３】
2005265633.tif 000015
【図１４】
2005265633.tif 000016
【図１５】
2005265633.tif 000017
【図１６】
2005265633.tif 000018
【図１７】
2005265633.tif 000019